(57)【要約】【課題】次亜塩素酸活性化装置による透析液配管ラインの洗浄・消毒を行う場合、毎日その運転状況や次亜塩素酸活性水の濃度などの情報を正確に把握する必要がある。現在の装置では、運転の状態が判らない、警報の発生履歴が記録されない、濃度異常発生時に作製開始からの時間や発生時の濃度が記録されない、などの問題があった。【解決手段】このシステムでは、透析向け次亜塩素酸活性化装置にタッチパネル式の表示器を搭載し、課題であった、運転の状態の表示、警報履歴の記録・表示、濃度異常発生時の詳細情報の記録・表示を低コストで行なうことを可能にした。【選択図】　図１
2004130016.tif 000002
【特許請求の範囲】
【請求項１】
タッチパネル式の表示器を搭載し、運転履歴・警報履歴・前日履歴・濃度異常履歴・フロー状態・などを表示・記録できるように構成した、透析向け次亜塩素酸活性化装置の制御及び履歴管理システム。
【請求項２】
画面上で、濃度の設定値・警報範囲・動作開始・停止のタイミングなどを設定することの出来る請求項１の次亜塩素酸活性化装置の制御及び履歴管理システム。
【発明の詳細な説明】
【０００１】
【発明の属する分野】
本発明は、血液透析における透析機器の洗浄・消毒に用いられる次亜塩素酸活性化装置に応用されるものである。
【０００２】
【従来の技術】
従来の技術では、前日やそれ以前の次亜塩素酸活性化水による洗浄・消毒時の次亜塩素酸活性化装置の運転状態や異常の履歴を把握することは出来なかった。
【０００３】
【発明が解決しようとする課題】
毎日の透析液配管ラインの洗浄・消毒については、透析液の清浄を保つ為に前日の洗浄・消毒を把握し、次亜塩素酸活性化装置の安全に且つ確実な運転状態を確認しなくてはならない。
【０００４】
このため、従来の方法では次亜塩素酸活性水による洗浄・消毒時に臨床工学技士などのスタッフが装置の運転状態を確認するのに、早朝から深夜までの勤務が必要であった。
【０００５】
また、装置に異常があった場合、その前後の状況を知るのにスタッフ間の申し送り書などで、その状況を知らせるか、担当の一人が専任でこの装置を管理しなければならなかった。
【０００６】
既存の装置でもある一定の情報、例えば濃度異常が起きた場合異常を知らせるランプが点灯し翌日に、前日の洗浄・消毒が正常に行なわれなかったことは知らせるが、その濃度異常が洗浄・消毒開始後、どのくらい時間が経過して発生したか？濃度が設定値より高くて異常なのか？低くて異常なのか？の判別が出来ない。
【０００７】
本発明は、以上のような従来技術が有する問題点に着目してなされたもので、スタッフの労力を軽減するとともに、次亜塩素酸活性水の洗浄・消毒を自動で安全・確実に行い、無人の現場での装置の状態を履歴管理システムに残すことで、適切に把握することができる。
【０００８】
【課題を解決する為の手段】
従来の次亜塩素酸活性化装置での課題を解決する為に、装置のシステム制御にシーケンスプログラムとタッチパネル式の液晶表示器を使用することで、濃度表示、警報表示、現在の運転状況、運転履歴、警報履歴、など多くの情報を表示し、記録することができる。
【０００９】
さらに、外部にプリンターなどを接続することで、紙媒体への印刷も可能になり、履歴管理がしやすくなる。
【００１０】
また、従来の次亜塩素酸活性化装置では分からなかった、装置の現在の運転状態がメイン画面（）に表示されるフローシートによって一目で分かるようになった。
【００１１】
【実施例】
次亜塩素酸活性化装置の各部同士の信号の取り合いを
【図１】に示す。運転時に圧力スイッチ
【図２】（２）の信号が入り、活性水作製制御手段を通じてＲＯ水入り口
【図２】（１）のモーターバルブ
【図２】（３）・電磁弁
【図２】（４）を開け、薬液ポンプ
【図２】（５）を動かすことで、次亜塩素酸活性水を作製し始める。
【００１２】
このとき、薬液ポンプ
【図２】（５）の動き出すタイミングは、モーターバルブ
【図２】（３）の開動作の途中に行なわれ、装置内のＲＯ水の流量が一定になるタイミングに設定する。
【００１３】
又、次亜塩素酸活性水作製の停止の時は、ＲＯ水入り口
【図２】（１）の電磁弁
【図２】（４）とモーターバルブ
【図２】（３）を同時に閉動作させると、ＲＯ装置からの水圧でいわゆるウォーターハンマー（水圧衝撃）が起こり、既存の配管系に激しい衝撃を与えることになるので、閉動作は、まずモーターバルブ
【図２】（３）から行い、ウォーターハンマーが起きない状態になってから電磁弁
【図２】（４）を閉めるように制御する。
【００１４】
次亜塩素酸活性水作製の停止・開始の制御は貯留槽フロートスイッチのＦ２
【図２】（７）のオン・オフからの時間により行なわれる。これは、貯留槽内部での波動によるフロートスイッチＦ２
【図２】（７）のチャタリング現象を回避する為で、オン・オフからの時間は、タッチパネル式表示器によって設定することが出来る。これらの制御は、データ入出力制御手段、データ制御手段を通じて行なわれる。
【００１５】
ＲＯ水不足警報は、圧力スイッチ
【図２】（２）の信号で表示制御手段によってタッチパネル式表示器により表示され、データ制御手段によって履歴情報記憶手段にその情報が送られる。
【００１６】
濃度異常警報は、濃度センサー部
【図２】（６）から送られた信号を表示制御手段によってタッチパネル式表示器により表示され、データ制御手段によって履歴情報記憶手段にその情報が送られる。
【００１７】
残量不足警報は、チャンバーフロートスイッチ
【図２】（８）から送られた信号を表示制御手段によってタッチパネル式表示器により表示され、データ制御手段によって履歴情報記憶手段にその情報が送られる。
【００１８】
いずれの警報も警報を解除した後でも、履歴情報記憶手段から表示制御手段、データ入出力制御手段を経てタッチパネル式表示器で見ることが出来る。このことで、異常発生の原因究明の情報を得ることが出来る。
【００１９】
また、いずれの警報が報知される場合に消毒中はブザーがなるようにプログラム制御してあり、同時にタッチパネル式表示器の表示画面を警報画面にし、画面全体を点滅できる機能も備えている。
【００２０】
濃度異常警報に関しては、より詳細な情報の必要性が考えられたので、履歴情報記憶手段から、警報が出た日時のみならず、作製開始から警報発生までの時間や、警報発生時の濃度を表示できる機能を搭載したので、課題であった諸問題を安いコストで解決できた。
【００２１】
【発明の効果】
履歴管理や装置の状態など、次亜塩素酸活性化装置の情報を正確に知ることが出来たことで次亜塩素酸活性化装置による洗浄・消毒が、より確実に行なわれるようになった。
【００２２】
しかも、履歴管理を運転履歴・警報履歴・前日履歴・濃度異常履歴の４つに分けることで、内容が見やすく情報量が豊富になった。
【００２３】
【図面の簡単な説明】
【図１】は、透析向け次亜塩素酸活性化装置の電気的信号の取り合いを模式図的に表したものである。
【００２４】
【図２】は、透析向け次亜塩素酸活性化装置のフローシートの１例である。
【００２５】
【図３】は、メイン画面の表示例である。
【００２６】
【図４】は、メニュー画面の表示例である。
【００２７】
【図５】は、運転・警報メイン画面の表示例である。
【００２８】
【符号の説明】
（１）ＲＯ入り口
（２）圧力スイッチ
（３）モーターバルブ
（４）電磁弁
（５）薬液ポンプ
（６）濃度センサー部
（７）フロートスイッチＦ２
（８）チャンバーフロートスイッチ
【図１】
2004130016.tif 000003
【図２】
2004130016.tif 000004
【図３】
2004130016.tif 000005
【図４】
2004130016.tif 000006
【図５】
2004130016.tif 000007